(57)【特許請求の範囲】
【請求項１】
軸線に沿って延びる有底円筒状をなし、その底面から前記軸線に沿って立設されると共に一対の半割り部材からなる支柱部、及び内周面から径方向内方に向けて延びる固定仕切り板を有する容器本体と、
前記支柱部に回転自在に装着された軸筒部を有し、該軸筒部の外周面から径方向外方に向けて延びる回転仕切り板を設けた回転体と、
吐出孔が形成された天板部を有し、前記容器本体の上端開口部を塞ぐ蓋体と、
を備え、
前記支柱部には、第１凸部を有する弾性体が設けられ、
前記回転体には、該回転体の回転に伴い、前記第１凸部を弾性変位させつつ乗り越える第２凸部が周方向に沿って複数設けられ、
前記弾性体は、前記支柱部に装着される被装着部と、前記第１凸部を備えて前記被装着部に外接される環状変形部と、を有し、
前記被装着部には、前記半割り部材同士間の隙間に嵌め込まれる中央壁部が設けられ、
前記弾性体は、前記支柱部に対して前記軸線回りの回転が規制されていることを特徴とする吐出容器。
【請求項２】
前記環状変形部は、前記被装着部の径方向両側に連設されていることを特徴とする請求項１に記載の吐出容器。
【発明の詳細な説明】
【技術分野】
【０００１】
本発明は、容器本体に収容された内容物を外部へと吐出させて取り出す吐出容器に関するものである。
【背景技術】
【０００２】
吐出容器は、化粧料や医薬品等で使用されるクリーム、軟膏、ゲル状の内容物を収容する容器として使用されている。このような吐出容器は、例えば特許文献１に示すように、有底筒状をなす容器本体と、容器本体の内部空間を仕切る固定仕切り板と、この固定仕切り板と並置される回転仕切り板と、これら固定仕切り板及び回転仕切り板の上端に当接される天板部を有する蓋体とを備えている。
そして、容器本体の底面と固定仕切り板と回転仕切り板と天板部とで収容室を画成し、回転仕切り板を回転させることで収容室を減容して、収容室内の内容物を天板部に形成された吐出孔から吐出する構成とされている。
【先行技術文献】
【特許文献】
【０００３】
【特許文献１】特開２００８−５６３０６号公報
【発明の概要】
【発明が解決しようとする課題】
【０００４】
しかしながら、上記した特許文献１で開示するような従来の吐出容器では、回転仕切り板を予期せず回転させてしまうことにより、必要量以上の内容物が外部へ吐出するおそれがあった。
【０００５】
本発明は、このような事情に鑑みてなされたものであって、容器本体に対する回転体の回転を感覚的に捉えることで、内容物が必要以上に吐出してしまうのを防止することができる吐出容器を提供することを目的とする。
【課題を解決するための手段】
【０００６】
上記の目的を達成するために、この発明は以下の手段を提供している。
本発明に係る吐出容器は、軸線に沿って延びる有底円筒状をなし、その底面から前記軸線に沿って立設されると共に一対の半割り部材からなる支柱部、及び内周面から径方向内方に向けて延びる固定仕切り板を有する容器本体と、前記支柱部に回転自在に装着された軸筒部を有し、該軸筒部の外周面から径方向外方に向けて延びる回転仕切り板を設けた回転体と、吐出孔が形成された天板部を有し、前記容器本体の上端開口部を塞ぐ蓋体と、を備え、前記支柱部には、第１凸部を有する弾性体が設けられ、前記回転体には、該回転体の回転に伴い、前記第１凸部を弾性変位させつつ乗り越える第２凸部が周方向に沿って複数設けられ、前記弾性体は、前記支柱部に装着される被装着部と、前記第１凸部を備えて前記被装着部に外接される環状変形部と、を有し、前記被装着部には、前記半割り部材同士間の隙間に嵌め込まれる中央壁部が設けられ、前記弾性体は、前記支柱部に対して前記軸線回りの回転が規制されていることを特徴としている。
【０００７】
本発明に係る吐出容器によれば、容器本体内の内容物を外部に吐出する際、回転体を軸線回りに回転させることで、回転仕切り板も回転することになり、固定仕切り板と、回転仕切り板と、容器本体の底面及び内周面と、蓋体の天板部とで囲まれた収容室の容積が徐々に小さくなり、これにより収容室内の内容物が圧迫されて吐出孔を通じて外部へと吐出される。したがって、回転仕切り板を回転させた際、内容物を確実に吐出孔を介して外部へと吐出させることができる。
【０００８】
回転仕切り板の回転時には、回転体に設けられる複数の第２凸部が弾性体の第１凸部を径方向内方に弾性変位させつつ乗り越えながら回転するため、双方の回転接触部分に間欠的に抵抗が生じて、滑らかな回転が抑えられる。そのため、間欠的な回転抵抗による感触が得られ、回転体を予期せず回転させてしまうことを防ぐことができ、これにより内容物が必要以上に吐出してしまうのを防止することができる。
また、回転体を回転させる際の間欠的な抵抗によってクリック感のある操作感が得られるので、回転量に対する吐出量を感覚的に把握することができる。
【０００９】
また、上記本発明の吐出容器において、前記弾性体は、前記支柱部に装着される被装着部と、前記第１凸部を備えて前記被装着部に外接される環状変形部と、を有していることが好ましい。
【００１０】
この場合には、環状変形部が環状に閉じた形状であり、且つ環状変形部が支柱部に直接装着されていないので、環状変形部の弾性変形が安定した形状となる。そのため、回転体の回転による操作感がより一層良好となる。
【００１１】
また、上記本発明の吐出容器において、前記環状変形部は、前記被装着部の径方向両側に連設されていることが好ましい。
【００１２】
この場合には、環状変形部が径方向に対向配置されているため、より安定した回転操作を行うことができる。
【発明の効果】
【００１３】
本発明に係る吐出容器によれば、容器本体に対する回転体の回転を感覚的に捉えることが可能となり、これにより回転体を予期せず回転させてしまうことを防ぐことができ、内容物が必要以上に吐出してしまうのを防止することができる。
【図面の簡単な説明】
【００１４】
【図１】本発明に係る吐出容器の実施形態を示す縦断面図である。
【図２】図１に示す吐出容器において、オーバーキャップを取り外した状態を示す上面図である。
【図３】図１に示すＡ−Ａ線断面図である。
【図４】図１に示すＢ−Ｂ線断面図であって、（ａ）は回転仕切り板の回転前の位置を示す図、（ｂ）は回転仕切り板の回転後の位置を示す図である。
【図５】他の実施形態による吐出容器の断面図であって、図３に対応する図である。
【発明を実施するための形態】
【００１５】
以下、本発明に係る吐出容器の実施形態について図面を参照して説明する。
図１に示すように、本実施形態の吐出容器１は、内容物が収容される有底円筒状の容器本体１０と、この容器本体１０内に回転可能に配置された回転体２０と、容器本体１０の開口を塞ぐように配置される蓋体３０と、容器本体１０の開口縁部に外嵌されると共に吐出口４３が形成された有頂筒状の吐出ヘッド４０と、吐出ヘッド４０の上から被せられるオーバーキャップ５０とを備えている。
【００１６】
なお、上述した容器本体１０、回転体２０、蓋体３０、吐出ヘッド４０、オーバーキャップ５０は、それぞれの中心軸線が共通軸上に位置された状態で配設されている。本実施形態ではこの共通軸を容器軸Ｏといい、上記吐出容器１において、容器軸Ｏに沿ったオーバーキャップ５０側を上側、容器本体２側を下側という。また、容器軸Ｏに直交する方向を径方向といい、容器軸Ｏ回りに周回する方向を周方向という。
【００１７】
容器本体１０は、外周部１１ａより径方向の内側に位置する部分に一段凹んだ凹陥部１１Ａを有する底部１１と周壁部１２とからなる内筒部と、外筒部１４と、を有し、前記外筒部１４の上端から径方向内方に向けて突出するとともに上方に向けて延びる係止筒部１３が設けられている。また、前記内筒部の周壁部１２の上端部分は、前記係止筒部１３の下方で前記外筒部１４内に係合されている。尚、係止筒部１３には径方向外方に向けて突出した係止部１３Ａが設けられており、前記外筒部１４の下端開口縁１４ａが接地される構成とされている。外筒部１４の上端部分には、オーバーキャップ５０が被着される雌ねじ部１５が形成されている。
【００１８】
凹陥部１１Ａの凹底面１１ｂから容器軸Ｏに沿って延びる支柱部１６が立設されている。この支柱部１６の突出高さは、前記周壁部１２の高さの１／２程度とされている。そして、支柱部１６は、一対の半割り部材１６Ａ、１６Ｂ（図３参照）からなり、双方間には隙間が設けられている。
【００１９】
さらに、図４に示すように、容器本体１０には、係止筒部１３の内周面から径方向内方および下方に向けて延びて、容器本体１０の内部空間を仕切る固定仕切り板１７が設けられている。また、この固定仕切り板１７の下方部分における外方端は、周壁部１２の内周面に当接または近接し、内容物を通過させない構成となっている。この固定仕切り板１７の径方向内端と支柱部１６（図１参照）の外周面との間には僅かな空隙が形成されている。なお、固定仕切り板１７と外周部１１ａとは互いに当接している。この固定仕切り板１７は、径方向外方から内方に向かうにしたがって漸次周方向の幅が小さくなる概略三角柱状をなしており、係止筒部１３および外筒部１４と一体成形されている。
【００２０】
さらにまた、図１及び図３に示すように、容器本体１０には、支柱部１６に回転不能な状態で装着された弾性体６０が凹陥部１１Ａ内に収容されている。この弾性体６０は、支柱部１６に装着される被装着部６１と、固定側凸部６３（第１凸部）を備えて被装着部６１に外接される環状変形部６２、６２と、からなる。
【００２１】
図３に示すように、被装着部６１は、支柱部１６に外嵌された外周壁部６１Ａと、支柱部１６の半割り部材１６Ａ、１６Ｂ同士間の隙間に嵌め込まれる中央壁部６１Ｂと、を備えている。つまり、被装着部６１は、支柱部１６に係合した状態において、中央壁部６１Ｂが半割り部材１６Ａ、１６Ｂによって挟持されているので、支柱部１６に対する容器軸Ｏ回りの回転が規制されている。尚、前記外周壁部６１Ａは設けなくても良い。ここで、図３において、容器軸Ｏ回りに周回する方向で反時計回りの方向をＴ方向とする。
環状変形部６２は、環状に形成されている。固定側凸部６３は、弾性体６０の環状変形部６２において最も径方向の外側に位置する部分に設けられている。固定側凸部６３の突出高さは、Ｔ方向の後側に向うにしたがい漸次低くなっていて、Ｔ方向の前側を向く面は上下方向と径方向の双方向に沿って延びる平坦面となっている。
【００２２】
図１に示すように、回転体２０は、容器本体１０に立設された支柱部１６に回転自在に外嵌される円筒状の軸筒部２１を有している。この軸筒部２１は、下方に向けて開口される第１筒部２２と、上方に向けて開口される第２筒部２３と、を備えており、第１筒部２２が支柱部１６に外嵌されている。そして、第２筒部２３には、その内周面に沿って上下方向に延びる軸係合凸部２３Ａが形成されている。なお、この軸筒部２１の肉厚は、固定仕切り板１７の径方向内端と、支柱部１６の外周面と、の間に形成された空隙の幅と略同一とされている。
【００２３】
また、回転体２０には、第１筒部２２の下端から径方向外方に向けて突出するとともに下方に向けて延びる有頂筒状の回転筒２４が設けられている。図３に示すように、回転筒２４の周壁部２４Ａが容器本体１０の凹陥部１１Ａ内に回転可能に嵌合され、回転筒２４の天面部２４Ｂの上面及び底部１１の外周部１１ａ上面の上下方向位置が同等になっている。
【００２４】
そして、周壁部２４Ａの内周面２４ｂには、径方向内方に向けて突出する爪状凸部２５（第２凸部）が周方向に同等の間隔をあけて複数設けられている。図３に示すように、爪状凸部２５の突出高さは、Ｔ方向の前側に向うにしたがい漸次低くなっていて、Ｔ方向の後側を向く面は上下方向と径方向の双方向に沿って延びる平坦面となっている。つまり、爪状凸部２５と環状変形部６２の固定側凸部６３とによりラチェット機構を構成しており、回転体２０は弾性体６０に対して一方向（矢印Ｔ方向）にのみ回転し、逆回転が規制された構成となっている。
【００２５】
この回転体２０には、軸筒部２１の外周面から径方向外方に向けて延びて容器本体１０の固定仕切り板１７と平行に配置される回転仕切り板２６が、軸筒部２１の全高さにわたって設けられている。
この回転仕切り板２６は、径方向外方端２６ａが容器本体１０の周壁部１２及び係止筒部１３の内面に当接、又は近接しており、下端２６ｂが底部１１の外周部１１ａに当接、又は近接しており、回転仕切り板２６の径方向外方端２６ａおよび下端２６ｂと、容器本体および係止筒１３の内面との間は、内容物が通過できないように設定されている。また、前記径方向外方端２６ａに弾性片や弾性部材を設けて、容器本体１０の周壁部１２及び係止筒部１３とのシール性を向上させてもよい。回転仕切り板２６は、図４（ａ）に示す容器本体１０内に内容物Ｎが充填されている状態において、一方の側壁面２６ｃと固定仕切り板１７の一方の側壁面１７ａとが対向するように配置され、図４（ｂ）に示す内容物Ｎが吐出しきった状態において、他方の側壁面２６ｄと固定仕切り板１７の他方の側壁面１７ｂとが対向するように配置されている。
なお、容器本体１０及び回転仕切り板２６の上端面には、パッキン２が配置されている。
【００２６】
蓋体３０は、概略円板状をなす天板部３１と天板部３１から垂設される軸部３２とを有している。天板部３１の外周部には、その上下方向に貫通した吐出孔３３が形成されている。また、天板部３１の外周縁部には、上方に向けて例えば環状の突起部３４が容器軸Ｏと同軸に突設されている。さらに、軸部３２は、回転体２０の軸筒部２１の第２筒部２３内に嵌合されており、軸部３２の外周面には、軸係合凸部２３Ａを挿入する軸凹溝３２Ａが形成されている。この軸凹溝３２Ａと軸係合凸部２３Ａとの係合により、蓋体３０を周方向に回転させることで回転体２０も一体に回転するように構成されている。
【００２７】
また、天板部３１の上面には、容器軸Ｏに同軸で上方に向けて立設されるとともに、径方向のうち蓋体３０の吐出孔３３側に至り、上方に向けて開口する口部壁３５が設けられている。
さらに、突起部３４の内周面には、上下方向に延びるヘッド係合凸部３４Ａが形成されている。
【００２８】
吐出ヘッド４０は、概略円板状をなすとともに外周縁部より径方向の内側に位置する部分が皿状に滑らかに凹んだ上板部４１と、上板部４１の外周から下方側に向けて延びる取付筒部４２と、上板部４１の容器軸Ｏに同軸に形成され上下方向に貫通した吐出口４３と、上板部４１から垂設され、前記吐出口４３を囲みつつ径方向に延設された環状の流路壁４４と、突出部３４に係合する凹部４５と、を有している。そして、突起部３４と凹部４５とが係合することで、蓋体３０に対する周方向への回転が規制されている。
【００２９】
取付筒部４２の下端部分には、係止筒部１３の係止部１３Ａと係合可能な係合部４２Ａが形成されている。
凹部４５には、蓋体３０のヘッド係合凸部３４Ａを挿入するヘッド係合凹溝４５Ａが形成されている。このヘッド係合凹溝４５Ａとヘッド係合凸部３４Ａとの係合により、吐出ヘッド４０を周方向に回転させることで蓋体３０とともに回転体２０が支柱部１６（容器本体１０）に対して一体に回転する。
【００３０】
さらに、前記口部壁３５内には前記流路壁４４が嵌合されており、口部壁３５、流路壁４４、上板部４１下面、天板部３１上面との間で内容物を流通させるための流路を形成し、吐出口４３と吐出孔３３とを連通させている。つまり、吐出孔３３から吐出された容器本体１０内の内容物は、その流路を通じて吐出口４３へ案内され、吐出容器１の中央に位置する吐出口４３より外方へ吐出させる構成となっている。
【００３１】
オーバーキャップ５０は、有頂筒状に形成され、天壁部５１の外周縁から容器本体１０の外筒部１４の雄ねじ部１５に螺合する雌ねじ筒５２が下方に向けて延びている。
【００３２】
次に、上述したように構成された吐出容器１の作用について説明する。
図４（ａ）、（ｂ）に示すように、容器本体１０内の内容物を外部に吐出する際、吐出ヘッド４０（回転体２０）を軸線回りに一方向Ｔに回転させることで、回転仕切り板２６も回転することになり、固定仕切り板１７と、回転仕切り板２６と、容器本体１０の外周部１１ａ、周壁部１２、係止筒部１３と、蓋体３０の天板部３１とで囲まれた収容室Ｒの容積が徐々に小さくなり、これにより収容室Ｒ内の内容物Ｎが圧迫されて吐出孔３３を通じて吐出ヘッド４０の吐出口４３から外部へと吐出される。したがって、回転仕切り板２６を回転させた際、内容物Ｎを確実に吐出孔３３を介して外部へと吐出させることができる。
【００３３】
回転仕切り板２６の回転時には、回転体２０の回転筒２４に設けられる複数の爪状凸部２５が弾性体６０の固定側凸部６３を径方向内方に弾性変位させつつ乗り越えながら回転するため、双方の回転接触部分に間欠的に抵抗が生じて、滑らかな回転が抑えられる。そのため、間欠的な回転抵抗による感触が得られ、回転体２０を予期せず回転させてしまうことを防ぐことができ、これにより内容物Ｎが必要以上に吐出してしまうのを防止することができる。
また、回転体２０を回転させる際の間欠的な抵抗によってクリック感のある操作感が得られるので、回転量に対する吐出量を感覚的に把握することができる。
【００３４】
さらに、弾性体６０において、環状変形部６２が環状に閉じた形状であり、且つ環状変形部６２が支柱部１６に直接装着されていないので、環状変形部６２の弾性変形が安定した形状となる。そのため、回転体２０の回転による操作感がより一層良好となる。
【００３５】
なお、本発明の技術範囲は、上記実施形態に限定されるものではなく、本発明の趣旨を逸脱しない範囲において、種々の変更を加えることが可能である。
【００３６】
例えば、本実施形態ではラチェット機構を採用しているが、このような構成に限定されることはない。例えば、図５に示す吐出容器では、回転体２０の回転筒２４において、上述したような爪形状ではなく、例えば横断面で円形状などの歯状凸部２７（第２凸部）を周壁部２４Ａから径方向内側に向けて突出させた形状であっても良い。この場合、隣り合う歯状凸部２７、２７同士の間に形成される凹部と環状変形部６２の固定側凸部６３とが係合し、回転体２０は弾性体６０に対して正逆両方向（矢印Ｔ方向および矢印Ｔ´方向）に回転可能である。つまり、回転体２０は逆回転（矢印Ｔ´方向）させることで、バックサクション効果により流路や吐出孔３３に残る内容物を容器本体１０内へ引き込むことができる。
【００３７】
また、本実施形態では蓋体３０を覆う吐出ヘッド４０を設け、蓋体３０天板部３１と吐出ヘッド４０の上板部４１との間に流路を形成し、容器本体１０から吐出される内容物を吐出孔３３から吐出ヘッド４０の吐出口４３へ導く構成を例に挙げて説明したが、これに限定されることはなく、吐出ヘッド４０を省略することも可能である。
【００３８】
さらに、本実施形態では弾性体６０として、支柱部１６に装着される被装着部６１と環状変形部６２とからなる構成としたが、これに限定されることはない。
例えば、弾性板（プラスチックや金属など）を、支柱部１６の半割り部１６Ａ、１６Ｂ間に挟持させ、その末端を回転筒２４の第２凸部に係合させるようにしてもよい。
また、前記内筒部、外筒部１４、係止筒部１３を一体に成形し、固定仕切り板１７を別体として嵌着固定や接着する構成としてもよい。
さらに、容器本体１０、蓋体３０、吐出ヘッド４０、オーバーキャップ５０の形状などの構成は、適宜変更することが可能である。
その他、本発明の趣旨を逸脱しない範囲で、上記した実施の形態における構成要素を周知の構成要素に置き換えることは適宜可能である。
【符号の説明】
【００３９】
１  吐出容器
１０  容器本体
１１  底部
１１Ａ  凹陥部
１２  周壁部
１６  支柱部
１７  固定仕切り板
２０  回転体
２１  軸筒部
２４  回転筒
２５  爪状凸部（第２凸部）
２６  回転仕切り板
２７  歯状凸部（第２凸部）
３０  蓋体
３１  天板部
３２  軸部
３３  吐出孔
３５  口部壁
４０  吐出ヘッド
４３  吐出口
５０  オーバーキャップ
６０  弾性体
６１  被装着部
６２  環状変形部
６３  固定側凸部（第１凸部）
Ｏ  容器軸
Ｒ  収容室
【図１】
0005604273.tif 000002
【図２】
0005604273.tif 000003
【図３】
0005604273.tif 000004
【図４】
0005604273.tif 000005
【図５】
0005604273.tif 000006